(57)【特許請求の範囲】
【請求項１】
給湯器と、
この給湯器の取付け対象に取付けられる枠状部を有し、かつこの枠状部の内側に前記給湯器を配置させた状態で前記給湯器を前記枠状部に固定可能とされた給湯器用のブラケットと、
を備えている、給湯器の取付け構造であって、
前記ブラケットの前記枠状部の上板部は、前部よりも後側の領域が前記前部の下面よりも上方に位置するように屈曲または湾曲した形態とされていることにより、前記上板部の下側には、前記上板部の前部の下面よりも高い位置に存在する空間部が形成されており、
前記給湯器の上部は、前記空間部に進入していることを特徴とする、給湯器の取付け構造。
【請求項２】
請求項１に記載の給湯器の取付け構造であって、
前記給湯器の取付け対象は、集合住宅のパイプシャフト内に設置された固定フレームであり、
前記固定フレームの前面側には、前記給湯器の前面部を覆うことが可能な扉が設置され、かつこの扉には、前記給湯器の前面部に設けられている排気筒を前記扉の前方側に露出させるための開口部が設けられている、給湯器の取付け構造。
【請求項３】
請求項１または２に記載の給湯器の取付け構造であって、
前記ブラケットの前記上板部の前部は、上下高さ方向に起立し、かつ前後方向に隙間を隔てて互いに対向する前側および後側の一対の起立壁部と、これら一対の起立壁部の下部どうしを繋ぐ連接部とを有する断面略コ字状または略Ｕ字状であり、
前記隙間は、前記給湯器の取付け対象に設けられた受け片部が進入するスペースとされ、かつ前記前側の起立壁部は、前記受け片部の前側に配置された状態で前記受け片部への固定が可能とされている、給湯器の取付け構造。
【請求項４】
請求項１ないし３のいずれかに記載の給湯器の取付け構造であって、
前記ブラケットの前記上板部には、この上板部の前部よりも後側の領域から下向きに突出した取付け片が設けられており、
前記給湯器は、この給湯器の上面部から上向きに突出する突出片を有し、かつこの突出片は、前記取付け片に重ねられて固定可能とされ、
この固定の位置は、前記上板部の前部の下面よりも高い位置とされている、給湯器の取付け構造。
【請求項５】
請求項１ないし４のいずれかに記載の給湯器の取付け構造であって、
前記ブラケットの前記上板部の前部は、前記上板部の他の部分とは別体で形成され、かつ前記他の部分から取り外し可能とされている、給湯器の取付け構造。
【請求項６】
給湯器の取付け対象に取付けられる枠状部を有し、
この枠状部の内側に前記給湯器を配した状態で前記給湯器を前記枠状部に支持させることが可能とされている、給湯器用のブラケットであって、
前記枠状部の上板部は、前部よりも後側の領域が前記前部の下面よりも上方に位置するように屈曲または湾曲した形態とされていることにより、前記上板部の下側には、前記上板部の前部の下面よりも高い位置に存在し、かつ前記給湯器の上部を進入可能とする空間部が形成されていることを特徴とする、給湯器用のブラケット。
【発明の詳細な説明】
【技術分野】
【０００１】
本発明は、たとえば集合住宅のパイプシャフト（パイプスペースとも称する）内に給湯器を設置するような場合に好適な給湯器の取付け構造、およびこれに用いられる給湯器用のブラケットに関する。
【背景技術】
【０００２】
集合住宅のパイプシャフト内に給湯器を設置する場合、図５（ａ）に示すような手段がよく採用されている（たとえば、特許文献１）。
同図においては、パイプシャフト内に設置されている固定フレーム１に、給湯器用のブラケットＢａが取付けられている。このブラケットＢａは、給湯器３Ａの上下左右を囲む枠状部４を有しており、固定フレーム１への取付けは、たとえば固定フレーム１の上部から下向きに突出した受け片部１２に、枠状部４の上板部４ａの前部から上向きに突出した取付け片５９をネジ体９０を用いてネジ止めすることにより図られている。給湯器３Ａは、枠状部４の内側に配された状態で複数のネジ体９１を用いてブラケットＢａに取付けられている。固定フレーム１には、給湯器３Ａの前面部を覆うことが可能な回転式の扉２が取付けられおり、この扉２には、給湯器３Ａの排気筒３０を外部に露出させるための開口部２１が形成されている。
このような構成によれば、給湯器３Ａの上下左右の周囲がブラケットＢａの枠状部４によって囲まれた状態となるため、ブラケットＢａの実質的な占有スペースを小さくしつつ、ブラケットＢａによって給湯器３Ａを安定的に固定させることが可能である。また、給湯器３Ａの正面などからの見栄えもよいものとすることが可能である。
【０００３】
しかしながら、前記従来技術においては、次に述べるように、改善すべき余地があった。
【０００４】
すなわち、給湯器３Ａについては、故障やその他の理由により、図５（ｂ）に示すように、新たな給湯器３Ｂに取り替える場合がある。ここで、新たな給湯器３Ｂとしては、先の給湯器３Ａとは同一サイズのものではなく、先の給湯器３Ａよりも大型のものとされる場合がある。この場合、新たな給湯器３Ｂの上面部から排気筒３０ａまでの寸法Ｌ１が、先の給湯器３Ａの上面部から排気筒３０までの寸法Ｌ２よりも大きい場合が多い。したがって、ただ単にブラケットＢａとして、給湯器３Ｂに対応したサイズのものを使用しただけでは、給湯器３Ｂの排気筒３０ａの高さ（排気筒３０ａの基部の高さ）が、扉２の開口部２１よりも低い位置となり、そのままでは排気筒３０ａを開口部２１から外部に露出させることが困難となる。
これを解消する手段として、前後両端に高低差を有するように屈曲した排気アダプタ３０ｂを用いる手段があるが、このような手段を採用したのでは、コスト的に不利となる他、給湯器３Ｂの排気抵抗が大きくなる不具合も生じる。これとは異なり、扉２を交換するといったことも考えられるが、このような手段を採用したのでは、コスト的に一層不利となるばかりか、扉２の交換工事は容易ではなく、現実的でない。
【０００５】
前記した例は、給湯器を交換した場合に、給湯器の排気筒と扉の開口部とが位置ずれする不具合を生じる例であるが、このような不具合は、新たな給湯器の取付け高さを高くすることによって解消することが可能である。これに対し、従来においては、ブラケットＢａの枠状部４のうち、上板部４ａの前部４０ｅの下面（枠状部４の内側に形成された前面開口部の上縁部）よりも高い位置に給湯器３Ｂを配置させることができない構成とされている。給湯器３Ｂを固定フレーム１またはこれ以外の所望の取付け対象に取付ける場合、給湯器３Ｂの全体をできる限り高い位置に配置させたいような場合があるが、従来におい
ては、そのような要望に的確に応え得るものとはなっていない。
【先行技術文献】
【特許文献】
【０００６】
【特許文献１】特開平８−２８５３７６号公報
【発明の概要】
【発明が解決しようとする課題】
【０００７】
本発明は、前記したような事情のもとで考え出されたものであり、給湯器の取付け高さを従来よりも高くすることを、簡易な構成によって適切に図ることが可能な給湯器の取付け構造、およびこれに用いられる給湯器用のブラケットを提供することを、その課題としている。
【課題を解決するための手段】
【０００８】
上記の課題を解決するため、本発明では、次の技術的手段を講じている。
【０００９】
本発明の第１の側面により提供される給湯器の取付け構造は、給湯器と、この給湯器の取付け対象に取付けられる枠状部を有し、かつこの枠状部の内側に前記給湯器を配置させた状態で前記給湯器を前記枠状部に固定可能とされた給湯器用のブラケットと、を備えている、給湯器の取付け構造であって、前記ブラケットの前記枠状部の上板部は、前部よりも後側の領域が前記前部の下面よりも上方に位置するように屈曲または湾曲した形態とされていることにより、前記上板部の下側には、前記上板部の前部の下面よりも高い位置に存在する空間部が形成されており、前記給湯器の上部は、前記空間部に進入していることを特徴としている。
本発明において、前記給湯器の取付け対象は、集合住宅のパイプシャフト内に設置された固定フレームであり、前記固定フレームの前面側には、前記給湯器の前面部を覆うことが可能な扉が設置され、かつこの扉には、前記給湯器の前面部に設けられている排気筒を前記扉の前方側に露出させるための開口部が設けられている構成とすることができる。
【００１０】
本発明の前記構成によれば、次のような効果が得られる。
すなわち、ブラケットの枠状部の内側に給湯器を固定させる場合、給湯器の上部を枠状部の上板部の下側に形成されている空間部に進入させることによって、ブラケットに対する給湯器の取付け高さを従来よりも高くすることができ、給湯器の取付け高さを高くしたいという要望に適切に対応し得ることとなる。具体例を挙げると、給湯器の取付け高さを高くすることにより、給湯器の排気筒の配置高さを高くすることが可能であり、このことにより前記扉に設けられている排気筒露出用の開口部の高さに比較して給湯器の排気筒の高さが低くなる従来の不具合を好適に解消することが可能となる。本発明において、給湯器の取付け高さを高くする手段としては、給湯器の取付け対象に対するブラケット自体の取付け高さを変更するような必要はなく、ブラケットの取付け作業の煩雑化もない。
【００１１】
本発明において、好ましくは、前記ブラケットの前記上板部の前部は、上下高さ方向に起立し、かつ前後方向に隙間を隔てて互いに対向する前側および後側の一対の起立壁部と、これら一対の起立壁部の下部どうしを繋ぐ連接部とを有する断面略コ字状または略Ｕ字状であり、前記隙間は、前記給湯器の取付け対象に設けられた受け片部が進入するスペースとされ、かつ前記前側の起立壁部は、前記受け片部の前側に配置された状態で前記受け片部への固定可能とされている。
【００１２】
このような構成によれば、給湯器の取付け対象に設けられた受け片部に対し、ブラケットの上板部の一部を適切に固定させることができる。また、給湯器の取付け対象に対するブラケット自体の取付け高さが、従来と比較して低くなるといったことも生じないように
し、給湯器の取付け高さを高くする上で一層好ましいものとなる。
【００１３】
本発明において、好ましくは、前記ブラケットの前記上板部には、この上板部の前部よりも後側の領域から下向きに突出した取付け片が設けられており、前記給湯器は、この給湯器の上面部から上向きに突出する突出片を有し、かつこの突出片は、前記取付け片に重ねられて固定可能とされ、この固定の位置は、前記上板部の前部の下面よりも高い位置とされている。
【００１４】
このような構成によれば、前記した取付け片と突出片とを利用して、ブラケットへの給湯器の取付けを適切に図ることができることに加え、それら取付け片と突出片との固定の位置を高い位置に設定できるため、給湯器の取付け高さを高くする上で、やはり好ましいものとなる。
【００１５】
本発明において、好ましくは、前記ブラケットの前記上板部の前部は、前記上板部の他の部分とは別体で形成され、かつ前記他の部分から取り外し可能とされている。
【００１６】
このような構成によれば、ブラケットへの給湯器の取付け、および取り外しを行なう際に、上板部の前部を取り外しておくことにより、それらの作業の容易化を図ることかできる。また、後述の実施形態で説明するように、給湯器の本体部をブラケットに取付けたままでフロントカバーを外し、給湯器のメンテナンスを容易に行なうといったことも可能となる。
【００１７】
本発明の第２の側面により提供される給湯器用のブラケットは、給湯器の取付け対象に取付けられる枠状部を有し、この枠状部の内側に前記給湯器を配した状態で前記給湯器を前記枠状部に支持させることが可能とされている、給湯器用のブラケットであって、前記枠状部の上板部は、前部よりも後側の領域が前記前部の下面よりも上方に位置するように屈曲または湾曲した形態とされていることにより、前記上板部の下側には、前記上板部の前部の下面よりも高い位置に存在し、かつ前記給湯器の上部を進入可能とする空間部が形成されていることを特徴としている。
【００１８】
このような構成の給湯器用のブラケットは、本発明の第１の側面により提供される給湯器の取付け構造を構築するのに好適に使用することが可能であり、本発明の給湯器の取付け構造について述べたのと同様な効果が得られる。
【００１９】
本発明のその他の特徴および利点は、添付図面を参照して以下に行なう発明の実施の形態の説明から、より明らかになるであろう。
【図面の簡単な説明】
【００２０】
【図１】本発明に係る給湯器の取付け構造の一例を示す要部断面図である。
【図２】図１に示す構造の要部分解断面図である。
【図３】図１に示す構造の要部分解斜視図である。
【図４】図１に示す構造の一部分解要部断面図である。
【図５】（ａ），（ｂ）は、従来技術の例を示す要部断面図である。
【発明を実施するための形態】
【００２１】
以下、本発明の好ましい実施の形態について、図面を参照して具体的に説明する。
なお、以降の説明においては、理解を容易にするため、図５に示した従来技術と同一または類似の要素には、前記従来技術と同一の符号を用いることとする。
【００２２】
図１〜図３に示す給湯器の取付け構造Ａは、集合住宅のパイプシャフト内に設置される
固定フレーム１、扉２、給湯器３、およびこの給湯器３を固定フレーム１に取付けるための枠状のブラケットＢを備えている。
【００２３】
図３によく表われているように、固定フレーム１は、金属製の複数の角パイプ材などを接合して構成された門型状の部材であり、上下高さ方向に延びる左右一対の支柱部１０、およびこれら一対の支柱部１０の上部どうしの間に架け渡された梁部１１を備えている。扉２は、給湯器３の前面部を覆うためのものであり、固定フレーム１に蝶番２０を介して取付けられた水平回転式である。この扉２には、給湯器３の排気筒３０を外部に露出させるための開口部２１が設けられている。
【００２４】
給湯器３は、たとえば瞬間式ガス給湯器であり、前面開口状の略直方体状の外装ケース３１内にバーナや熱交換器などの各種の機器（図３では不図示）が組み込まれた本体部３２と、その前面開口部分を塞ぐためのフロントカバー３３とを備えている。外装ケース３１へのフロントカバー３３の組み付けは、これらに設けられているフランジ部３４ａ，３４ｂを対向接触させ、かつこれらを複数のネジ体９ａを用いてネジ止め（ネジ締結）することにより図られている。
【００２５】
ブラケットＢは、正面視略矩形の枠状部４を備えており、この枠状部４は、上板部４ａ、下板部４ｂ、および左右一対の側板部４ｃが互いに繋がった構成である。このブラケットＢは、固定フレーム１に取付けられる。そのための手段として、固定フレーム１の梁部１１には、ネジ止め用孔部１２ａを有する下向き突出状の受け片部１２が設けられているとともに、ブラケットＢの上板部４ａに設けられている後述する前側起立壁部４３にはネジ止め用孔部４５ａが設けられ、これらの部分がネジ体９ｂを利用してネジ止めされる手段が採用されている。また、ブラケットＢの一対の側板部４ｃの前部に連設されたフランジ部４６には、複数のネジ体９ｃが挿通するネジ止め用孔部４５ｂが設けられている。これに対し、固定フレーム１には、ネジ止め用孔部１３ａが設けられた複数の受け片部１３が設けられ、この部分にフランジ部４６が当接可能とされている。これらの部分は、ネジ体９ｃを用いてネジ止め締結される。
【００２６】
ブラケットＢの枠状部４の内側には、給湯器３を嵌入させた状態で取付けることが可能である。そのための手段として、図３の部分拡大図に示すように、給湯器３の外装ケース３１の上面部には、ネジ体９ｄが挿通するネジ止め用孔部３５ａを有する上向き突出状の突出片３５が設けられているのに対し、ブラケットＢの上板部４ａの後部には、ネジ止め用孔部５０ａを有する下向き突出状の取付け片５０が設けられ、これらがネジ体９ｄを用いてネジ止め可能とされている。突出片３５には、取付け片５０に設けられた係合用孔部５０ｂに進入する係合用凸部３５ｂも設けられており、これら係合用の凸部３５ｂおよび孔部５０ｂの係合により、ブラケットＢと給湯器３との位置決めが可能となっている。これは、ブラケットＢに対する給湯器３のネジ止め作業を容易にする効果をもたらせる。ブラケットＢに対する給湯器３の他の取付け手段としては、給湯器３の外装ケース３１の下面部に、ネジ体９ｅが挿通するネジ止め用孔部３６ａを有する下向き突出状の突出片３６が設けられているのに対し、ブラケットＢの下板部４ｂの後部寄り領域には、ネジ止め用孔部５１ａを有する上向き突出状の取付け片５１が設けられ、これらをネジ体９ｅを用いてネジ止め可能とする手段も採用されている。
【００２７】
図１に示すように、ブラケットＢの上板部４ａは、その前部４０よりも後側の領域４１が、前部４０の下面４０ａ（枠状部４の内側に形成された前面開口部の上縁部）よりも上方に位置するように屈曲または湾曲した断面形状であり、上板部４ａの下側には、前部４０の下面４０ａよりも高い位置に存在する空間部４８が形成されている。給湯器３は、フランジ部３４ａ，３４ｂの上部や突出片３５が空間部４８に進入した状態でブラケットＢへの取付けが図られている。突出片３５と取付け片５０とのネジ体９ｄによるネジ止め位
置は、前部４０の下面４０ａよりも高い位置とされている。
【００２８】
ブラケットＢの上板部４ａの前部４０は、上板部４ａの他の部分とは別体で形成され、他の部分から取り外し可能とされている。
より具体的には、図１の要部拡大図に示すように、前部４０は、断面略コ字状または略Ｕ字状であり、上下高さ方向に起立して前後方向に隙間４２を隔てて対向する前側および後側の一対の起立壁部４３，４３ａ、およびこれらの下部どうしを繋ぐ連接部４４を有している。このような前部４０は、上板部４ａのうち、前部４０よりも後側の領域４１の平板状部分の前端に連設された下向き屈曲部４１ａに後側の起立壁部４３ａが重なるように位置決めされた状態で枠状部４に取付けられている。この取付けは、連接部４４の左右両端部を、補助片部５２にその下方からネジ体９ｆを用いてネジ止めすることにより図られている。補助片部５２は、図３に示すように、ブラケットＢの左右両側板部４ｃのそれぞれの上部から短い寸法で内向きに突出した部分であり、ネジ体９ｆを緩めることにより、前部４０を上板部４ａから取り外すことが可能である。補助片部５２は、給湯器３よりも左右の両側板部４ｃ寄りに位置しており、ブラケットＢの左右幅方向において給湯器３との干渉を避けることができるように設けられている。このことにより、図４を参照して後述するように、給湯器３のフロントカバー３３を取り外す際には、フロントカバー３３が補助片部５２に干渉しないようにすることが可能となっている。
【００２９】
固定フレーム１の受け片部１２に、ネジ体９ｂを用いてブラケットＢの上板部４ａをネジ止めする構造は、受け片部１２が前部４０に形成された隙間４２に進入し、かつ前側の起立壁部４３が受け片部１２の前面側に重なるように配置した状態で行なわれている。
【００３０】
次に、前記した給湯器の取付け構造Ａの作用について説明する。
【００３１】
まず、図１を参照して説明したように、給湯器用のブラケットＢの上板部４ａの下側には、前部４０の下面４０ａよりも高い位置に存在する空間部４８が設けられ、かつこの空間部４８に給湯器３の上部が進入するように設定されている。このため、給湯器３の取付け高さを高くすることが可能である。その結果、給湯器３の上面から排気筒３０までの寸法Ｌａが、比較的大きい場合であっても、排気筒３０が開口部２１よりも低い高さにならないようにし、これらの高さを一致させることによって、排気筒３０を開口部２１から扉２の前方側に適切に露出させることが可能となる。図５（ｂ）に示した排気アダプタ３０ｂを用いる必要はない。したがって、コスト的に有利であり、また排気アダプタ３０ｂを用いた場合に生じる給湯器３における排気抵抗の増大も防止することができる。
【００３２】
上板部４ａの前部４０は、図４に示すように、上板部４ａの他の部分から取り外すことが可能である。この場合、受け片部１２に対する前部４０の連結も解除されることとなるが、ブラケットＢは、図３を参照して説明したように、固定フレーム１の受け片部１３に別途ネジ止めされているため、前部４０を取外したことに起因して、固定フレーム１に対するブラケットＢの取付け状態が不当に解除されるようなことはない。前記したように前部４０を取り外すと、給湯器３のフロントカバー３３をブラケットＢの手前側に取り外すことが可能である。前部４０が上板部４ａに組み付けられている状態においては、フロントカバー３３をブラケットＢの手前側に取り外そうとした際に、フロントカバー３３が前部４０に干渉し、フロントカバー３３を取り外すことは困難であるが、前部４０を取り外すことにより、そのようなことを解消することができる。フロントカバー３３を取り外すと、給湯器３の本体部３２をブラケットＢに取付けた状態のまま、給湯器３のメンテナンスをその正面側から行なうことが可能となり、便利である。また、前部４０を本実施形態のように着脱自在とすれば、ブラケットＢへの給湯器３の組み付け作業や、給湯器３の全体の取り外し作業なども一層容易かつ適切に行なうことが可能となる。
【００３３】
本発明は、上述した実施形態の内容に限定されない。本発明に係る給湯器の取付け構造、および給湯器用のブラケットの各部の具体的な構成は、本発明の意図する範囲内において種々に設計変更自在である。
【００３４】
給湯器用のブラケットの上板部の前部は、上板部の他の部分から取り外し可能とすることが好ましいものの、やはりこれに限定されず、上板部の全体を、たとえば単一部材を利用して一体的に形成した構成とすることもできる。なお、上板部の前部を取外し可能とする手段に代えて、または加えて、ブラケットの枠状部の下板部を、枠状部の他の部分から取り外し可能にするといった手段を採用することもできる。
【００３５】
上述の実施形態においては、各部の固定手段として、ネジ止め手段を用いた場合を説明しているが、これに限定されず、リベット、カシメなどとすることもできる。
固定フレームに対するブラケットの具体的な取付け構造、およびブラケットに対する給湯器の具体的な取付け構造は、上述した実施形態とは異なる構造とし得ることは勿論である。
本発明に係る給湯器の取付け構造は、集合住宅のパイプシャフト内に給湯器を設置する用途に適するが、これ以外の場所に給湯器を設置する場合にも用いることが可能である。したがって、給湯器の取付け対象は、パイプシャフト内に設置された門型状などの固定フレームに限定されない。給湯器は、ガス給湯器の他、オイル給湯器などとすることもでき、その種類なども限定されない。
【符号の説明】
【００３６】
Ａ  給湯器の取付け構造
Ｂ  ブラケット（給湯器用のブラケット）
１  固定フレーム（給湯器の取付け対象）
１２  受け片部
２  扉
２１  開口部（扉の）
３  給湯器
３０  排気筒
３５  突出片
４  枠状部（ブラケットの）
４ａ  上板部（枠状部の）
４０  前部（上板部の）
４０ａ  下面（前部の）
４１  後側の領域（上板部の前部よりも後側の領域）
４２  隙間
４３，４３ａ  前側および後側の起立壁部
４４  連接部
４８  空間部
５０  取付け片
【図１】
0006681003.tif 000002
【図２】
0006681003.tif 000003
【図３】
0006681003.tif 000004
【図４】
0006681003.tif 000005
【図５】
0006681003.tif 000006